(57)【要約】  空間光変調器の焼付きを防止した上で、ヘッダ情報を情報記録媒体に記録する光情報装置等を提供する。  解決手段の一例として、２次元ページデータを情報記録媒体に記録する光情報装置であって、第１の情報生成部と、前記第１のビット列に基づいて第２のビット列を生成する第２の情報生成部と、前記第２のビット列に対応するパターンを表示する空間光変調部と、を備え、前記第２の情報生成部は、第１の識別情報に対応する前記第１のビット列に対して、所定の周期で各ビットの反転を行う第１の処理を行い、前記第１の識別情報に対応する前記第２のビット列を生成し、前記周期と同一の周期で切り替わるビットを含む第２の識別情報に対応する前記第１のビット列に対して、前記第１の処理とは異なる第２の処理をして、前記第２の識別情報に対応する前記第２のビット列を生成する、光情報装置がある。
2015162653.tif 000002
【特許請求の範囲】
【請求項１】
２次元ページデータを情報記録媒体に記録する光情報装置であって、
第１のビット列を生成する第１の情報生成部と、
前記第１のビット列に基づいて第２のビット列を生成する第２の情報生成部と、
前記第２のビット列に対応するパターンを表示する空間光変調部と、を備え、
前記第２の情報生成部は、
第１の識別情報に対応する前記第１のビット列に対して、所定の周期で各ビットの反転を行う第１の処理を行い、前記第１の識別情報に対応する前記第２のビット列を生成し、
前記周期と同一の周期で切り替わるビットを含む第２の識別情報に対応する前記第１のビット列に対して、前記第１の処理とは異なる第２の処理をして、前記第２の識別情報に対応する前記第２のビット列を生成する、光情報装置。
【請求項２】
請求項１記載の光情報装置であって、
前記第２の情報生成部は、前記周期と同一の周期で切り替わるビットを除外して前記第２の識別情報に対応する前記第２のビット列を生成する、光情報装置。
【請求項３】
請求項１記載の光情報装置であって、
前記第２の情報生成部は、前記第２の識別情報に対応する前記第１のビット列の内、前記周期と同一の周期で切り替わるビットの値を固定した状態で、前記周期で各ビットの反転を行い、前記第２の識別情報に対応する前記第２のビット列を生成する、光情報装置。
【請求項４】
請求項１記載の光情報装置であって、
前記第２の情報生成部は、前記周期と同一の周期で切り替わるビットを含む前記第２の識別情報に対応する前記第１のビット列を前記周期で変換するビットがないように、予め定めた対応値に変換し、該変換されたビット列に基づいて、前記第２の識別情報に対応する前記第２のビット列を生成する、光情報装置。
【請求項５】
請求項１記載の光情報装置であって、
前記周期は偶奇性に基づく値である、光情報装置。
【請求項６】
請求項１記載の光情報装置であって、
前記１の識別情報は、複数の２次元ページデータで構成されるブックのブックナンバー及び／または２次元ページデータの位置検出のためのマーカーの情報であり、前記第２の識別情報はページナンバーである、光情報装置。
【請求項７】
請求項１記載の光情報装置であって、
前記第２の情報生成部は、前記第２の識別情報に対応する前記第１のビット列の内の前記周期と同一の周期で切り替わるビットと該ビット以外のビットを排他的論理和の演算を行い、前記第２の識別情報に対応する前記第２のビット列を生成する、光情報装置。
【請求項８】
請求項４記載の光情報装置であって、
前記第２の情報生成部は、前記周期と同一の周期で切り替わるビットを含む前記第２の識別情報に対応する前記第１のビット列をグレイコードに変換し、該変換されたグレイコードに基づいて、前記第２の識別情報に対応する前記第２のビット列を生成する、光情報装置。
【請求項９】
請求項１記載の光情報装置であって、
前記２次元ページデータを再生する場合、前記第２のビット列に対応するパターンを取得し、該取得したパターンに基づいて、前記第１の識別情報に対応する前記第１のビット列を再生する、光情報装置。
【請求項１０】
２次元ページデータを情報記録媒体に記録する光情報処理方法であって、
第１のビット列を生成する第１の情報生成ステップと、
前記第１のビット列に基づいて第２のビット列を生成する第２の情報生成ステップと、
前記第２のビット列に対応するパターンを表示する空間光変調ステップと、を備え、
前記第２の情報生成ステップでは、
第１の識別情報に対応する前記第１のビット列に対して、所定の周期で各ビットの反転を行う第１の処理を行い、前記第１の識別情報に対応する前記第２のビット列を生成し、
前記周期と同一の周期で切り替わるビットを含む第２の識別情報に対応する前記第１のビット列に対して、前記第１の処理とは異なる第２の処理をして、前記第２の識別情報に対応する前記第２のビット列を生成する、光情報処理方法。
【請求項１１】
請求項１０記載の光情報処理方法であって、
前記第２の情報生成ステップでは、前記周期と同一の周期で切り替わるビットを除外して前記第２の識別情報に対応する前記第２のビット列を生成する、光情報処理方法。
【請求項１２】
請求項１０記載の光情報処理方法であって、
前記第２の情報生成ステップでは、前記第２の識別情報に対応する前記第１のビット列の内、前記周期と同一の周期で切り替わるビットの値を固定した状態で、前記周期で各ビットの反転を行い、前記第２の識別情報に対応する前記第２のビット列を生成する、光情報処理方法。
【請求項１３】
請求項１０記載の光情報処理方法であって、
前記第２の情報生成ステップでは、前記周期と同一の周期で切り替わるビットを含む前記第２の識別情報に対応する前記第１のビット列を前記周期で変換するビットがないように、予め定めた対応値に変換し、該変換されたビット列に基づいて、前記第２の識別情報に対応する前記第２のビット列を生成する、光情報処理方法。
【請求項１４】
請求項１０記載の光情報処理方法であって、
前記周期は偶奇性に基づく値である、光情報処理方法。
【請求項１５】
請求項１０記載の光情報処理方法であって、
前記１の識別情報は、複数の２次元ページデータで構成されるブックのブックナンバー及び／または２次元ページデータの位置検出のためのマーカーの情報であり、前記第２の識別情報はページナンバーである、光情報処理方法。
【請求項１６】
請求項１０記載の光情報処理方法であって、
前記第２の情報生成ステップでは、前記第２の識別情報に対応する前記第１のビット列の内の前記周期と同一の周期で切り替わるビットと該ビット以外のビットを排他的論理和の演算を行い、前記第２の識別情報に対応する前記第２のビット列を生成する、光情報処理方法。
【請求項１７】
請求項１３記載の光情報処理方法であって、
前記第２の情報生成ステップでは、前記周期と同一の周期で切り替わるビットを含む前記第２の識別情報に対応する前記第１のビット列をグレイコードに変換し、該変換されたグレイコードに基づいて、前記第２の識別情報に対応する前記第２のビット列を生成する、光情報処理方法。
【請求項１８】
請求項１０記載の光情報処理方法であって、
前記２次元ページデータを再生する場合、前記第２のビット列に対応するパターンを取得し、該取得したパターンに基づいて、前記第１の識別情報に対応する前記第１のビット列を再生する、光情報処理方法。
【請求項１９】
２次元ページデータを情報記録媒体から再生する光情報装置であって、
前記２次元ページデータに記録されるヘッダ情報を再生するヘッダ情報再生部を有し、
前記ヘッダ情報再生部は、
前記ヘッダ情報に記録されるページナンバー情報からページナンバーを生成するページナンバー生成部と、
前記ヘッダ情報に記録される反転周期情報を再生する反転周期情報再生部と、を有し、
前記ページナンバー生成部と前記反転周期情報再生部の再生結果から前記２次元ページデータのアドレス情報を生成する、光情報装置。
【請求項２０】
２次元ページデータを情報記録媒体から再生する光情報処理方法であって、
前記２次元ページデータに記録されるヘッダ情報を再生するヘッダ情報再生ステップと、
前記ヘッダ情報に記録されるページナンバー情報からページナンバーを生成するページナンバー生成ステップと、
前記ヘッダ情報に記録される反転周期情報を再生する反転周期情報再生ステップと、
前記生成されたページナンバーと前記反転周期情報の再生結果から前記２次元ページデータのアドレス情報を生成するアドレス情報生成ステップと、
を備える光情報処理方法。
【発明の詳細な説明】
【技術分野】
【０００１】
本発明は、光情報装置および光情報処理に関する。
【背景技術】
【０００２】
本技術分野の背景技術として、ＵＳ２００５―０２７０８５５（特許文献１）がある。この公報には、ページヘッダはチャプター内のページ情報であるページナンバーを含む（中略）ヘッダはバーコード状のフォーマットで記録される（中略）空間光変調器上での固定パターンを避けるため、奇数ページはビット反転を行う、と記載されている。【０００３】
また、ＷＯ２００７―１１１１３９（特許文献２）には、「記録方法は、位置決めマーク及びデータ領域を含む２次元データの記録を記録媒体に対して光学的に行う記録方法であって、２次元データの所定記録回数ごとに位置決めマークの状態を第１状態からこれとは異なる少なくとも１つの第２状態へ変更する。」と記載されている。
【先行技術文献】
【特許文献】
【０００４】
【特許文献１】ＵＳ２００５―０２７０８５５
【特許文献２】ＷＯ２００７―１１１１３９
【発明の概要】
【発明が解決しようとする課題】
【０００５】
ホログラフィを用いたホログラム記録装置では、可干渉性光を空間光変調器に反射、または透過させて、２次元データに応じて空間的に変調した信号光と、可干渉性光の参照光とを光情報媒体において、互いに重ね合うように入射させることで、記録媒体内には干渉縞パターンが形成され、このパターンを記録媒体に書き込むことで情報を記録する。また光情報記録媒体に入射する参照光の入射角度を変化させることで、角度多重による記録が可能となる。このように、同じ領域に参照光角度を変えて記録されたホログラムにおいて、１つ１つの参照光角度に対応したホログラムをページと呼び、同領域に角度多重されたページの集合をブックと呼ぶ。【０００６】
光情報媒体から情報を再生するときには、ページデータからユーザデータを復号する前に、検出したページデータが予め定めた目標データを含むページであることを確認する必要がある。ページデータの確認に用いる情報はページヘッダ情報として、正確かつ短い処理時間で再生するために、ユーザデータとは別の領域に、簡便かつ正確な判別が可能な形式で記録されることが望ましい。【０００７】
そのため、前記特許文献１には、ページ毎にブックアドレスやページナンバー等を含むページヘッダを、２進数にした後、「１」と「０」にそれぞれ対応するバーコードに変換し光情報媒体に記録することが記載されている。【０００８】
一方、空間光変調器は一定時間以上固定パターンを表示し続けると、画像表示機能が損なわれる焼付き現象が発生する。ブックアドレス等のページヘッダに含まれる情報は、同一ブック内では同一情報を保持し続けるため、空間光変調器の焼付き現象の発生が懸念される。そこで前記特許文献１には、前記空間光変調器の焼付き現象を抑制するために奇数ページまたは偶数ページでビット反転を行うことが記載されている。【０００９】
しかし、前記特許文献１や２の方法を用いて、例えばページナンバーを光情報媒体に記録した場合、光情報媒体に記録するページナンバーの最下位ビットの記録パターンが固定パターンとなり、空間光変調器で焼付き現象が発生する。この焼付き現象について、図１４を用いて詳細に説明する。図１４（ａ）はページヘッダ内に記録するページナンバーの１０進数（１４００）と、２進数（１４０１）の値を示し、図１４（ｂ）は空間光変調器３１２の焼付き抑制のため、奇数ページにおいて、２進数表記のページナンバーをビット反転した値（１４０３）を示す。従来技術を適用してページヘッダを記録する場合、図１４（ｂ）の２進数１４０３に示す通り、ページナンバーの最下位ビット１４０６は固定値となっており、空間光変調器３１２のページナンバーの最下位ビット１４０６を表示する領域で焼付きが発生する。【００１０】
そこで本発明の目的は、空間光変調器の焼付きを抑制した上で、ヘッダ情報等を情報記録媒体に記録する光情報装置及び光情報処理方法を提供することである。
【課題を解決するための手段】
【００１１】
上述の課題を解決するため、本発明では一例として、ページナンバー等の情報とブックアドレスやヘッダパタン等の情報とで異なる処理をして空間光変調部に表示するパターンを生成する。
【発明の効果】
【００１２】
本発明によれば、空間光変調器の焼付きを抑制した上で、ヘッダ情報等を情報記録媒体に記録する光情報装置及び光情報処理方法を提供することができる。
【図面の簡単な説明】
【００１３】
【図１】ページナンバー生成回路の実施例を表す概略図
【図２】光情報記録再生装置のブロック図
【図３】光情報記録再生装置内のピックアップの実施例を表す概略図
【図４】光情報記録再生装置内のピックアップの実施例を表す概略図
【図５ａ】信号処理回路の動作を示すフローチャート
【図５ｂ】信号処理回路の動作を示すフローチャート
【図６ａ】光情報記録再生装置の動作フローの実施例を表す概略図
【図６ｂ】光情報記録再生装置の動作フローの実施例を表す概略図
【図６ｃ】光情報記録再生装置の動作フローの実施例を表す概略図
【図７】光情報記録再生装置内の信号生成回路の実施例を表す概略図
【図８】光情報記録再生装置内の信号処理回路の実施例を表す概略図
【図９ａ】信号生成回路の動作フローの実施例を表す概略図
【図９ｂ】信号生成回路の動作フローの実施例を表す概略図
【図１０ａ】ページナンバーの変換方法の一例
【図１０ｂ】ページナンバーの変換方法の一例
【図１１ａ】信号処理回路の動作を示すフローチャート
【図１１ｂ】信号処理回路の動作を示すフローチャート
【図１２】ページナンバーの変換方法の一例
【図１３ａ】信号処理回路の動作を示すフローチャート
【図１３ｂ】信号処理回路の動作を示すフローチャート
【図１４】従来技術によるページナンバーの変換方法
【図１５】物理シンボルに対応するパターンの一例
【発明を実施するための形態】
【００１４】
以下、実施例を図面を用いて説明する。
【実施例１】
【００１５】
本発明の実施形態を添付図面にしたがって説明する。図２はホログラフィを利用してデジタル情報を記録および／または再生する光情報記録媒体の記録再生装置を示すブロック図である。【００１６】
光情報記録再生装置１０は、入出力制御回路９０を介して外部制御装置９１と接続されている。記録する場合には、光情報記録再生装置１０は外部制御装置９１から記録する情報信号を入出力制御回路９０により受信する。再生する場合には、光情報記録再生装置１０は再生した情報信号を入出力制御回路９０により外部制御装置９１に送信する。【００１７】
光情報記録再生装置１０は、ピックアップ１１、再生用参照光光学系１２、キュア光学系１３、ディスク回転角度検出用光学系１４、及び回転モータ５０を備えており、光情報記録媒体１は回転モータ５０によって回転可能な構成となっている。【００１８】
ピックアップ１１は、参照光と信号光を光情報記録媒体１に照射してホログラフィを利用してデジタル情報を記録媒体に記録する役割を果たす。この際、記録する情報信号はコントローラ８９によって信号生成回路８６を介してピックアップ１１内の空間光変調器に送られ、信号光は空間光変調器によって変調される。【００１９】
光情報記録媒体１に記録した情報を再生する場合は、ピックアップ１１から出射された参照光を記録時とは逆の向きに光情報記録媒体に入射させる光波を再生用参照光光学系１２にて生成する。再生用参照光によって再生される再生光をピックアップ１１内の後述する光検出器によって検出し、信号処理回路８５によって信号を再生する。【００２０】
光情報記録媒体１に照射する参照光と信号光の照射時間は、ピックアップ１１内のシャッタの開閉時間をコントローラ８９によってシャッタ制御回路８７を介して制御することで調整できる。【００２１】
キュア光学系１３は、光情報記録媒体１のプリキュアおよびポストキュアに用いる光ビームを生成する役割を果たす。プリキュアとは、光情報記録媒体１内の所望の位置に情報を記録する際、所望位置に参照光と信号光を照射する前に予め所定の光ビームを照射する前工程である。ポストキュアとは、光情報記録媒体１内の所望の位置に情報を記録した後、該所望の位置に追記不可能とするために所定の光ビームを照射する後工程である。【００２２】
ディスク回転角度検出用光学系１４は、光情報記録媒体１の回転角度を検出するために用いられる。光情報記録媒体１を所定の回転角度に調整する場合は、ディスク回転角度検出用光学系１４によって回転角度に応じた信号を検出し、検出された信号を用いてコントローラ８９によってディスク回転モータ制御回路８８を介して光情報記録媒体１の回転角度を制御する事が出来る。【００２３】
光源駆動回路８２からは所定の光源駆動電流がピックアップ１１、キュア光学系１３、ディスク回転角度検出用光学系１４内の光源に供給され、各々の光源からは所定の光量で光ビームを発光することができる。【００２４】
また、ピックアップ１１、そして、ディスクキュア光学系１３は、光情報記録媒体１の半径方向に位置をスライドできる機構が設けられており、アクセス制御回路８１を介して位置制御がおこなわれる。【００２５】
ところで、ホログラフィの角度多重の原理を利用した記録技術は、参照光角度のずれに対する許容誤差が極めて小さくなる傾向がある。【００２６】
従って、ピックアップ１１内に、参照光角度のずれ量を検出する機構を設けて、サーボ信号生成回路８３にてサーボ制御用の信号を生成し、サーボ制御回路８４を介して該ずれ量を補正するためのサーボ機構を光情報記録再生装置１０内に備えることが必要となる。【００２７】
また、ピックアップ１１、キュア光学系１３、ディスク回転角度検出用光学系１４は、いくつかの光学系構成または全ての光学系構成をひとつに纏めて簡素化しても構わない。【００２８】
図３は、光情報記録再生装置１０におけるピックアップ１１の基本的な光学系構成の一例における記録原理を示したものである。光源３０１を出射した光ビームはコリメートレンズ３０２を透過し、シャッタ３０３に入射する。シャッタ３０３が開いている時は、光ビームはシャッタ３０３を通過した後、例えば２分の１波長板などで構成される光学素子３０４によってｐ偏光とｓ偏光の光量比が所望の比になるようになど偏光方向が制御された後、ＰＢＳ（Ｐｏｌａｒｉｚａｔｉｏｎ  Ｂｅａｍ  Ｓｐｌｉｔｔｅｒ）プリズム３０５に入射する。【００２９】
ＰＢＳプリズム３０５を透過した光ビームは、信号光３０６として働き、ビームエキスパンダ３０８によって光ビーム径が拡大された後、位相マスク３０９、リレーレンズ３１０、ＰＢＳプリズム３１１を透過して空間光変調器３１２に入射する。【００３０】
空間光変調器３１２によって情報が付加された信号光は、ＰＢＳプリズム３１１を反射し、リレーレンズ３１３ならびに空間フィルタ３１４を伝播する。その後、信号光は対物レンズ３１５によって光情報記録媒体１に集光する。【００３１】
一方、ＰＢＳプリズム３０５を反射した光ビームは参照光３０７として働き、偏光方向変換素子３１６によって記録時または再生時に応じて所定の偏光方向に設定された後、ミラー３１７ならびにミラー３１８を経由してガルバノミラー３１９に入射する。ガルバノミラー３１９はアクチュエータ３２０によって角度を調整可能のため、レンズ３２１とレンズ３２２を通過した後に光情報記録媒体１に入射する参照光の入射角度を、所望の角度に設定することができる。なお、参照光の入射角度を設定するために、ガルバノミラーに代えて、参照光の波面を変換する素子を用いても構わない。【００３２】
このように信号光と参照光とを光情報記録媒体１において、互いに重ね合うように入射させることで、記録媒体内には干渉縞パターンが形成され、このパターンを記録媒体に書き込むことで情報を記録する。また、ガルバノミラー３１９によって光情報記録媒体１に入射する参照光の入射角度を変化させることができるため、角度多重による記録が可能である。【００３３】
以降、同じ領域に参照光角度を変えて記録されたホログラムにおいて、１つ１つの参照光角度に対応したホログラムをページと呼び、同領域に角度多重されたページの集合をブックと呼ぶことにする。【００３４】
図４は、光情報記録再生装置１０におけるピックアップ１１の基本的な光学系構成の一例における再生原理を示したものである。記録した情報を再生する場合は、前述したように参照光を光情報記録媒体１に入射し、光情報記録媒体１を透過した光ビームを、アクチュエータ３２３によって角度調整可能なガルバノミラー３２４にて反射させることで、その再生用参照光を生成する。【００３５】
この再生用参照光によって再生された再生光は、対物レンズ３１５、リレーレンズ３１３ならびに空間フィルタ３１４を伝播する。その後、再生光はＰＢＳプリズム３１１を透過して光検出器３２５に入射し、記録した信号を再生することができる。光検出器３２５としては例えばＣＭＯＳイメージセンサーやＣＣＤイメージセンサーなどの撮像素子を用いることができるが、ページデータを再生可能であれば、どのような素子であっても構わない。【００３６】
図６は、光情報記録再生装置１０における記録、再生の動作フローを示したものである。ここでは、特にホログラフィを利用した記録再生に関するフローを説明する。【００３７】
図６（ａ）は、光情報記録再生装置１０に光情報記録媒体１を挿入した後、記録または再生の準備が完了するまでの動作フローを示し、図６（ｂ）は準備完了状態から光情報記録媒体１に情報を記録するまでの動作フロー、図６（ｃ）は準備完了状態から光情報記録媒体１に記録した情報を再生するまでの動作フローを示したものである。【００３８】
図６（ａ）に示すように媒体を挿入すると（６０１）、光情報記録再生装置１０は、例えば挿入された媒体がホログラフィを利用してデジタル情報を記録または再生する媒体であるかどうかディスク判別を行う（６０２）。【００３９】
ディスク判別の結果、ホログラフィを利用してデジタル情報を記録または再生する光情報記録媒体であると判断されると、光情報記録再生装置１０は光情報記録媒体に設けられたコントロールデータを読み出し（６０３）、例えば光情報記録媒体に関する情報や、例えば記録や再生時における各種設定条件に関する情報を取得する。【００４０】
コントロールデータの読み出し後は、コントロールデータに応じた各種調整やピックアップ１１に関わる学習処理（６０４）を行い、光情報記録再生装置１０は、記録または再生の準備が完了する。【００４１】
準備完了状態から情報を記録するまでの動作フローは図６（ｂ）に示すように、まず記録するデータを受信して（６１１）、該データに応じた情報をピックアップ１１内の空間光変調器３１２に送る。【００４２】
その後、光情報記録媒体に高品質の情報を記録できるように、必要に応じて例えば光源３０１のパワー最適化やシャッタ３０３による露光時間の最適化等の各種記録用学習処理を事前に行う（６１２）。【００４３】
その後、シーク動作（６１３）ではアクセス制御回路８１を制御して、ピックアップ１１ならびにキュア光学系１３の位置を光情報記録媒体の所定の位置に位置づけする。光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。【００４４】
その後、キュア光学系１３から出射する光ビームを用いて所定の領域をプリキュアし（６１４）、メインデータ生成（６１５）とページヘッダ付加（６１６）を含むページデータ生成処理（６１７）を行い、ピックアップ１１から出射する参照光と信号光を用いてデータを記録する（６１８）。データを記録した後は、キュア光学系１３から出射する光ビームを用いてポストキュアを行う（６１９）。必要に応じてデータをベリファイしても構わない。メインデータはページデータのうちの大半を占める部位であり、主としてユーザデータが格納される。ユーザデータ以外に、特定のページデータにおいて、外部制御装置９１が扱う論理アドレスと光情報記録媒体１における各ページデータの位置との対応を表すテーブルや、欠陥によって再生困難になったページデータの交替処理における、交替前と交替先とのページデータの位置の対応を表す交替位置リストを格納するようにしてもよい。また、ページヘッダとはページデータに記録されたデータの種別やデータ形式、多重記録されたページを識別のためのアドレスなどの情報を格納するためにページデータ上に設けた領域であり、メインデータとはページデータ上の記録するための領域と分けて設ける。メインデータ生成（６１５）とページヘッダ付加（６１６）の詳細な動作は後述する。【００４５】
データを記録した後は、キュア光学系１３から出射する光ビームを用いてポストキュアを行う（６１６）。必要に応じてデータをベリファイしても構わない。【００４６】
準備完了状態から記録された情報を再生するまでの動作フローは図６（ｃ）に示すように、まずシーク動作（６２１）で、アクセス制御回路８１を制御して、ピックアップ１１ならびに再生用参照光光学系１２の位置を光情報記録媒体の所定の位置に位置づけする。光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。【００４７】
続いて、ピックアップ１１から参照光を出射し、光情報記録媒体に記録された情報を読み出し、ページデータを取得し（６２２）、ページデータ内のページヘッダ部の再生（６２３）の後に再生データを検出（６２４）して送信する（６２５）。ページヘッダ部の再生（６２３）の結果として目標とするページデータと識別されない場合においては、目標とは異なるページデータを検出しているおそれがあるので、再生データの送信（６２５）は行わずに中止するか、（６２１）（６２２）の処理から再度実行しなおす。ページヘッダ取得（６２２）とページヘッダ再生（６２３）の詳細な動作は後述する。【００４８】
図９は、記録、再生時のデータ処理フローを示したものであり、図９（ａ）は、入出力制御回路９０において記録データ受信処理６１１後、空間光変調器３１２上の２次元データに変換するまでの信号生成回路８６での記録データ処理フローを示しており、図９（ｂ）は光検出器３２５で２次元データを検出後、入出力制御回路９０における再生データ送信処理６２３までの信号処理回路８５での再生データ処理フローを示している。【００４９】
図９（ａ）を用いて記録時のデータ処理について説明する。９０１から９０６までの処理は、図６（ｂ）の処理におけるメインデータ生成（６１５）の内部の処理に対応する。信号生成回路８６がユーザデータを受信（９０１）すると、複数のデータ列に分割、再生時エラー検出が行えるように各データ列をＣＲＣ化（９０２）し、オンピクセル数とオフピクセル数をほぼ等しくし、同一パターンの繰り返しを防ぐことを目的にデータ列に擬似乱数データ列を加えるスクランブル（９０３）を施した後、再生時エラー訂正が行えるようにリード・ソロモン符号等の誤り訂正符号化（９０４）を行う。次に変調したデータ列を２次元データに変換し、それを１ページデータ分繰返すことで１ページ分の２次元データを構成する（９０５）。このように構成した２次元データに対して再生時の画像位置検出や画像歪補正での基準となるマーカーを付加（９０６）し、ページヘッダを付加（６１６）した上で空間光変調器３１２にデータを転送（９０７）する。マーカー付加（９０６）とページヘッダ付加（６１６）の詳細な動作は後述する。【００５０】
次に図９（ｂ）を用いて再生時のデータ処理フローについて説明する。９１２から９１９までの処理は、図６（ｃ）の処理におけるデータ再生（６２４）の内部の処理に対応する。光検出器３２５で検出された画像データが信号処理回路８５に転送され、ページデータを取得（６２２）するとともに、検出された画像データから、ページヘッダを再生（６２３）し、ページヘッダに格納されたデータを取得する。次に、この画像データに含まれるマーカーを基準に画像位置を検出（９１２）し、画像の傾き・倍率・ディストーションなどの歪みを補正（９１３）した後、２値化処理（９１４）を行い、マーカーを除去（９１５）することで１ページ分の２次元データを取得（９１６）する。このようにして得られた２次元データを複数のデータ列に変換した後、誤り訂正処理（９１７）を行い、パリティデータ列を取り除く。次にスクランブル解除処理（９１８）を施し、ＣＲＣによる誤り検出処理（９１９）を行ってＣＲＣパリティを削除した後にユーザデータを入出力制御回路９０経由で送信（９２０）する。なお、マーカーによる画像位置検出（９１２）が、ページヘッダの再生（６２３）よりも容易に行えることが期待できる場合は、これらの処理の順序を入れ替えて、マーカーによる画像位置検出結果を用いてページヘッダの探索を行ってもよい。ページヘッダ再生の詳細な動作については後述する。【００５１】
図７は、光情報記録再生装置１０の信号生成回路８６のブロック図である。【００５２】
入出力制御回路９０にユーザデータの入力が開始されると、入出力制御回路９０はコントローラ８９にユーザデータの入力が開始されたことを通知する。コントローラ８９は本通知を受け、信号生成回路８６に入出力制御回路９０から入力される１ページ分のデータを記録処理するよう命ずるとともに、ページヘッダに格納する情報を、ヘッダ情報生成回路７１１００と物理シンボル生成回路７１１０１と偶奇情報生成回路７１１０２から構成されるヘッダパタン付加回路７１１と、偶奇情報判断回路７１０００とマーカー生成回路７１００１から構成されるマーカー付加回路７１０に与える。コントローラ８９からの処理命令は制御用ライン７０８を経由し、信号生成回路８６内サブコントローラ７０１に通知される。この通知を受け、サブコントローラ７０１は各信号処理回路を並列に動作させるよう制御用ライン７０８を介して各信号処理回路の制御を行う。先ずメモリ制御回路７０３に、データライン７０９を介して入出力制御回路９０から入力されるユーザデータをメモリ７０２に格納するよう制御する。【００５３】
メモリ７０２に格納したユーザデータが、ある一定量に達すると、ＣＲＣ演算回路７０４でユーザデータをＣＲＣ化する制御を行う。次にＣＲＣ化したデータに、スクランブル回路７０５で擬似乱数データ列を加えるスクランブル化を施し、誤り訂正符号化回路７０６でパリティデータ列を加える誤り訂正符号化する制御を行う。そして、偶奇情報判断回路７１０００とマーカー生成回路７１００１から構成されるマーカー付加回路７１０において、前記ページヘッダに格納する情報からページナンバーを生成し、生成したページナンバーから偶奇情報判断回路７１０００がページナンバーの偶奇性を判断し、その判断結果に従って再生時に基準となるマーカーを付加してページデータのうちのメインデータの部分の記録パターンを生成し、メモリ７０２に格納する。【００５４】
一方で、ヘッダパタン付加回路７１１では、コントローラ８９から入力されたページヘッダに格納する情報に基づいて、物理シンボル生成回路７１１０１が後述する物理シンボルを生成し、偶奇情報生成回路７１１０２が偶奇情報を生成し、またヘッダ情報生成回路７１１００がページデータに記録されるデータの種別や形式、ブックアドレス等の情報を生成し、生成した各々の情報に基づいてページヘッダの記録パターンを生成し、メモリ７０２に格納する。この時マーカー生成回路７１００１が生成したマーカーをページヘッダの記録パターンに付加しても良い。【００５５】
最後にピックアップインターフェース回路７０７にメモリ７０２からメインデータの記録パターンとページヘッダの記録パターンを空間光変調器３１２上の２次元データの並び順で読み出させ、ピックアップ１１内の空間光変調器３１２に転送する。ヘッダ付加回路７１１の詳細な動作は後述する。【００５６】
図８は、光情報記録再生装置１０の信号処理回路８５のブロック図である。【００５７】
コントローラ８９はピックアップ１１内の光検出器３２５が画像データを検出すると、信号処理回路８５にピックアップ１１から入力される１ページ分のデータを再生処理するよう命ずる。コントローラ８９からの処理命令は制御用ライン８１１を経由し、信号処理回路８５内サブコントローラ８０１に通知される。本通知を受け、サブコントローラ８０１は各信号処理回路を並列に動作させるよう制御用ライン８１１を介して各信号処理回路の制御を行う。先ず、メモリ制御回路８０３に、データライン８１２を介して、ピックアップ１１からピックアップインターフェース回路８１０を経由して入力される画像データをメモリ８０２に格納するよう制御する。【００５８】
メモリ８０２に格納されたデータがある一定量に達すると、ヘッダ情報再生回路８１３００とページナンバー生成回路８１３０１と偶奇情報再生回路８１３０２から構成されるヘッダ再生回路８１３において、偶奇情報再生回路８１３０２がページナンバーの偶奇情報を再生し、ページナンバー生成回路８１３０１が前記物理シンボルからページナンバーを生成し、ヘッダ情報再生回路８１３００がページデータに記録されるデータの種別や形式、ブックアドレス等のページヘッダ情報を再生した結果、検出されたページヘッダ情報の識別情報が再生の目標とするページデータであると判定したのちに、画像位置検出回路８０９でメモリ８０２に格納された画像データ内からマーカーを検出して有効データ範囲を抽出する制御を行う。次に検出されたマーカーを用いて画像歪み補正回路８０８で、画像の傾き・倍率・ディストーションなどの歪み補正を行い、画像データを期待される２次元データのサイズに変換する制御する。サイズ変換された２次元データを構成する複数ビットの各ビットデータを、２値化回路８０７において“０”、“１”判定する２値化を行い、メモリ８０２上に再生データの出力の並びでデータを格納する制御を行う。次に、誤り訂正回路８０６で各データ列に含まれる誤りを訂正し、スクランブル解除回路８０５で擬似乱数データ列を加えるスクランブルを解除した後、ＣＲＣ演算回路８０４でメモリ８０２上のユーザデータ内に誤りが含まれない確認を行う。その後、入出力制御回路９０にメモリ８０２からユーザデータを転送する。ヘッダ再生回路８１３の詳細な動作は後述する。【００５９】
ここで、前記課題を解決するためのページヘッダ付加（６１６）動作について、図１を用いて詳細に説明する。【００６０】
図１（ａ）は物理シンボル生成回路７１１０１におけるアドレス相関図を示す。１００乃至１０３はページ毎に対応するページナンバーを示し、１０４乃至１０７はページヘッダ内に記録する物理アドレスを示し、１０８乃至１１０は排他的論理和の演算器を示し、１１１乃至１１３は空間光変調器３１２の焼付き抑制のために、ページナンバーの偶奇性に従って、物理アドレスをビット反転した物理シンボルを示す。１００乃至１１３に示される数字はそれぞれビット位置を示す。尚、図１（ａ）ではページナンバーの下位４ビットのみを示しており、上位ビットについては、ビット１乃至ビット３と同様の操作が実施される。ここで、ページナンバーはページ毎に対応するアドレスであり、物理アドレスは例えば記録または再生特性に従って、ページナンバーを変調した値であるが、物理アドレスはページナンバーを変調せずに、そのまま用いても良い。そして、物理シンボルは空間光変調器３１２が焼付かない様に物理アドレスを変換した値である。物理シンボルに対応するパターンが空間光変調器３１２の所定の領域に表示される。【００６１】
図１（ｂ）は物理シンボル生成回路７１１０１を示す。物理シンボル生成回路７１１０１は物理アドレス生成回路７１１０１００と反転回路７１１０１０１から構成される。【００６２】
また図１（ｃ）と図１（ｄ）は前記画像位置検出（９１２）に用いるマーカーを示す。【００６３】
マーカーは装置の互換性を保つために記録データ上の予め定められた領域に、単数または複数配置される。定められた領域で固定パターンを記録し続けると空間光変調器３１２の焼付きを発生させるため、マーカーもページヘッダ同様に奇数ページまたは偶数ページでビット反転して記録が行われる。例えば偶数ページでは図１（ｃ）のマーカーを記録し、奇数ページでは図１（ｄ）のマーカーを記録する。位置検出に用いるマーカーはヘッダ領域内に配置しても、ヘッダ領域外に配置しても、あるいはその両方に配置しても良く、マーカーの配置領域は限定されない。またマーカーについても図１（ｃ）と（ｄ）に示す形状に限定されず、予め定められた形状であれば良い。【００６４】
物理アドレス生成回路７１１０１００は、コントローラから入力されるページヘッダ情報の内、１００乃至１０３のページナンバーを１０４乃至１０７の物理アドレスとして、反転回路７１１０１０１に供給する。【００６５】
反転回路７１１０１０１は、供給される１０４乃至１０７の物理アドレスにおいて、最下位ビット１０７以外をページナンバーの偶奇性に従って反転して、光情報媒体に記録する形式である１１１乃至１１３の物理シンボルを生成する。反転回路７１１０１０１における物理アドレスの反転は、例えば図１（ａ）に示す通り、１０４乃至１０６の物理アドレスの各ビットと、物理アドレスの最下位ビット１０７との排他的論理和を算出する方法があるが、物理アドレスの反転方法はこれに限定されない。【００６６】
つまり、空間光変調器３１２の焼付きを抑制するために、ページナンバーの最下位ビット１０３は記録を行わない。【００６７】
図１（ａ）の場合を例に、より具体的に説明する。ページナンバー｛ＰＮ３，ＰＮ２，ＰＮ１，ＰＮ０｝が｛０，０，０，０｝、｛０，０，０，１｝、｛０，０，１，０｝、｛０，０，１，１｝．．．｛１，１，１，０｝、｛１，１，１，１｝である場合、物理シンボル｛ＰＡＳ３，ＰＡＳ２，ＰＡＳ１｝はそれぞれ｛０，０，０｝、｛１，１，１｝、｛０，０，１｝．．．｛１，１，１｝、｛０，０，０｝となる。なお、図１（ａ）においては、物理アドレスにはページナンバーと同じ値が与えられる。ここで、“０”、“１”に対応する空間光変調器３１２のパターンは、例えば、１つのピクセルで表した図１５（ａ）のようなパターンや複数ピクセルを纏めた図１５（ｂ）のようなパターンがある。そして、物理シンボルに対応するパターンをこのようなパターンを用いて空間光変調器３１２のページナンバーが記録される所定の領域に表示し、ページナンバーを含むヘッダ情報等を光情報記録媒体にする。このように構成することで空間光変調器３１２の焼付きを抑制することができる。“０”、“１”に対応する空間光変調器３１２のパターンは図１５のように反転関係にあることが望ましい。【００６８】
なお、本発明において“０”、“１”に対応する空間光変調器３１２のパターンは図１５に限られず、その他のパターンを用いてもよい。【００６９】
記録を行わないページナンバー最下位ビット１０３の情報は、ページナンバーの偶数、奇数に対応する。また、前記記載の通り、位置検出に用いるマーカーのビット反転もページナンバーの偶数、奇数に対応する。そのため、記録を行わないページナンバーの最下位ビットの情報は、位置検出に用いるマーカーの形状から取得可能である。【００７０】
ページナンバーを含むページヘッダの記録と再生の詳細な処理フローを図５（ａ）と図５（ｂ）にそれぞれ示す。【００７１】
９０６０１から９０６０３までの処理は図９（ａ）のマーカー付加（９０６）処理に対応する。ページナンバーを含むページヘッダの記録は、まずページナンバーを生成し（９０６０１）、生成したページナンバーが奇数ページであるか、偶数ページであるかを判断（９０６０２）し、ページナンバーの偶奇性判断に従ってマーカーを生成する。そしてページヘッダ情報を取得し（６１６０１）、取得したヘッダ情報を２値化（６１６０２）し、２値化したヘッダ情報の内、ページナンバーの偶奇情報を生成し（６１６１０）、ページナンバーの最下位ビットは除去（６１６０３）する。そして、６１６１０で生成したページナンバーの偶奇情報からページナンバーの偶奇性判断を行い（６１６０４）、ページナンバーが奇数ならば各ビットの反転（６１６０５）を行って物理シンボルを生成した上で、ヘッダパタンの生成（６１６０６）を実行する。ページナンバーが偶数ならばビット反転（６１６０５）は行わず、ページナンバーを物理シンボルとしてヘッダパタンの生成（６１６０６）を実行する。６１６０６の処理で生成したヘッダパタンを、メインデータ生成（６１５）で生成したメインデータと合わせてピックアップ１１に送信し、記録を行う。ここで記録するページのページヘッダとマーカーについて奇数ページならばビット反転を行うと記載したが、偶数ページの時にビット反転を行ってもよく、予めビット反転を行うページが偶数であるか、奇数であるかを定めておけば良い。また偶奇情報の生成（６１６１０）はページ９０６０２ナンバーの偶奇判断（９０６０２）結果を用いても良いし、６１６０１の処理で取得したヘッダ情報から生成しても良い。【００７２】
次にページナンバーを含むページヘッダ再生の詳細な動作について説明する。６２３０１から６２３０４までの処理は図９（ｂ）のページヘッダ再生（６２３）に対応する。まず、マーカーの検出を行い（６２３０１）、再生しているページが偶数ページか奇数ページであるかを判断する（６２３０２）。そして、処理６２３０２で判断した結果からページナンバーの最下位ビットを生成し（６２３０３）、前記物理シンボル形式で記録されたページヘッダ情報の再生を行う（６２３０４）。次に６２３０２のページナンバーの偶奇判断結果から、ページナンバーが奇数であれば、ページヘッダ情報のビット反転（６２３０６）を行った上で６２３０７の処理に進み、ページナンバーが偶数であれば、前記ビット反転（６２３０６）は行わずに、６２３０７の処理に進む。６２３０７では、６２３０３で生成したページナンバーの最下位ビットとヘッダ情報より再生した最下位ビット以外のページナンバーの情報を合わせて、ページナンバーの生成（６２３０７）を行い、ヘッダ情報の再生は終了する。【００７３】
尚、ビット反転はページナンバーの偶奇性のみに限定されるものではなく、空間光変調器３１２が焼付かない周期でビット反転を行っても良く、その場合はビット反転を行う周期と同一周期で変化する情報について記録を行わず、記録を行わなかった情報を位置決めのためのマーカーから取得する。例えば、ビット反転を２ページ毎に１回行う場合、ビット反転を行う周期と同じ周期で、ページナンバー１０１のビット１も変化する。そのため、ビット反転を２ページ毎に１回行う場合は、ページナンバー１０１のビット０ではなくビット１の記録を行わず、記録を行わなかったページナンバー１０１のビット１の情報を、マーカーから前記記載の手法で生成する。【００７４】
また、本実施例では、最下位ビットの値により反転周期を切り替えることとしているため、ページナンバーの偶奇性として回路を構成しているが、反転周期が異なる場合には同様に反転周期性情報の生成、判断回路で構成すればよい。【００７５】
また、記録を行わない情報は、ページナンバーに限らず、ビット反転を行う周期と同一の周期で変換するビットであれば良い。【００７６】
このように、ページナンバーの最下位ビットに関して記録を行わず、位置決めのためのマーカーからページナンバーの最下位ビットの情報を生成する事で、空間光変調器３１２の焼付き抑制を実現した上で、ページナンバーの記録情報も再生可能となる。【００７７】
なお、ヘッダパタンのビット反転は、一例として、ヘッダパタンのビットとページナンバーの最下位ビットを排他的論理和の演算を行えばよいが、これに限られない。【００７８】
また、同一ブック内における各ページのヘッダ情報のブックアドレスには、同じ値が格納されるため、ブックアドレスの各ビット列を所定の周期で反転させて、ブックアドレスに対応する物理シンボルを生成することで、上記のヘッダパタンの場合と同様に、空間光変調器３１２の焼付きが抑制可能となる。【００７９】
このように、ページナンバー等の情報とブックアドレスやヘッダパタン等の情報とで異なる処理をして物理シンボルを生成することで、空間光変調器３１２の焼付きが抑制可能となる。
【実施例２】
【００８０】
実施例２におけるページヘッダの記録方法の概要について、図１０を用いて説明する。【００８１】
実施例２が実施例１と異なる点は物理アドレスの最下位ビット１０７を物理シンボル最下位ビット１１４として、光情報媒体に記録する点である。【００８２】
以降実施例１との相違点のみ説明する。【００８３】
実施例２におけるページナンバーを含むページヘッダの記録と再生の詳細な処理フローを図１１（ａ）と図１１（ｂ）にそれぞれ示す。実施例１との相違点は、ページナンバーの最下位ビットの除去（６１６０３）の処理を削除した点と、ビット反転（６１６０７）とヘッダパタンの生成方法（６１６０８）が異なる点と、ページナンバーの最下位ビットの生成（６２３０３）を削除した点と、ビット反転（６２３０８）とページナンバーの生成（６２３０９）が異なる点である
６１６０７では、２値化したヘッダ情報のうち、ページナンバーの最下位ビット以外の情報を反転する。【００８４】
６１６０８では、ページナンバーが奇数の場合は６１６０７でページナンバーの最下位ビット以外をビット反転した値を物理シンボルとして、ページナンバーが偶数の場合は６１６０２で２値化した値を物理シンボルとして、ヘッダパタンの生成を行う。【００８５】
６２３０８では、ページナンバーの最下位ビット以外の情報を反転する。【００８６】
６２３０９では、ページナンバーが奇数の場合は６２３０８でビット反転を行った値をページナンバーとして、ページナンバーが偶数の場合は６２３０４で再生したページナンバーをそのままページナンバーとして生成する。【００８７】
尚、実施例２においては、ページナンバーの偶奇性を位置決めのためのマーカーから判断しても良いし、ページナンバーの最下位ビットから判断しても良い。【００８８】
また、１１１乃至１１４の物理シンボルは図１０（ｂ）のように、物理アドレスの最下位ビット１０７を固定して、１０４乃至１０７の物理アドレスを、ページナンバーの偶奇性に従って反転して生成しても良い。【００８９】
このように、ページナンバーの最下位ビットについては空間光変調器３１２の焼付き抑制のためのビット反転は行わず記録することで、空間光変調器３１２の焼付き抑制を実現した上で、ページナンバーなどの情報も再生可能となる。この方法によれば、ページナンバーの偶奇性を位置決めのためのマーカーから判断せず、ページナンバーの最下位ビットからでも判断可能となる。【００９０】
また、実施例１と同様に、ページナンバー等の情報とブックアドレスやヘッダパタン等の情報とで異なる処理をして物理シンボルを生成することで、空間光変調器３１２の焼付きが抑制可能となる。
【実施例３】
【００９１】
実施例３におけるページヘッダの記録方法の概要について、図１２を用いて説明する。【００９２】
実施例３が実施例１と異なる点は１００乃至１０３のページナンバーをグレイコードに変換して、１０４乃至１０７の物理アドレスを生成する点と、ページナンバーの偶奇性に従って物理アドレスを反転し１１１乃至１１４の物理シンボルを生成し、最下位ビットを除去することなく、光情報媒体に記録する点である。グレイコードとは前後に隣接する符号間のハミング距離が必ず１であるという特性をもつ符号化方法である。【００９３】
以下実施例１との相違点のみ説明する。【００９４】
実施例３におけるページナンバーを含むページヘッダの記録と再生の詳細な処理フローを図１３（ａ）と図１３（ｂ）にそれぞれ示す。実施例１との相違点は、ページナンバー最下位ビットの除去６１６０３の処理を削除して、ページナンバーの変換６１６０９の処理を追加した点と、ページナンバーの最下位ビットの生成６２３０３を削除し、ページナンバーの変換６２３１０を追加した点である。【００９５】
６１６０９では、取得したヘッダ情報の内ページナンバーをグレイコードに変換して物理アドレスを生成する。【００９６】
６２３１０では、再生したページヘッダ情報に対してグレイコードの逆変換を行う。【００９７】
尚、ページナンバー変換６１６０９において、ページナンバーをグレイコードに変換したが、ページナンバーの変換方法はこれに限らず、ページナンバーの偶奇性に従ってビット反転を行った後に得られる値が固定値とならないページナンバー変換方法であれば良い。【００９８】
このように、空間光変調器３１２の焼付き抑制のためにページナンバーの偶奇性に従ってビット反転を行った後に、ページナンバーの各ビットにおいて固定値が続かないよう予め定めた変換方法により、ページナンバーを変換することで、空間光変調器３１２の焼付き抑制を実現した上で、ページナンバーの情報も再生可能となる。【００９９】
また、上記実施例と同様に、ページナンバー等の情報とブックアドレスやヘッダパタン等の情報とで異なる処理をして物理シンボルを生成することで、空間光変調器３１２の焼付きが抑制可能となる。
【符号の説明】
【０１００】
１・・・光情報記録媒体、１０・・・光情報記録再生装置、１１・・・ピックアップ、
１２・・・再生用参照光光学系、１３・・・ディスクＣｕｒｅ光学系、
１４・・・ディスク回転角度検出用光学系、８１・・・アクセス制御回路、
８２・・・光源駆動回路、８３・・・サーボ信号生成回路、
８４・・・サーボ制御回路、８５・・・信号処理回路、８６・・・信号生成回路、
８７・・・シャッタ制御回路、８８・・・ディスク回転モータ制御回路、
８９・・・コントローラ、９０…入出力制御回路、９１…外部制御装置、
３０１・・・光源、３０３・・・シャッタ、３０６・・・信号光、３０７・・・参照光、
３０８・・・ビームエキスパンダ、３０９・・フェーズ（位相）マスク、
３１０・・・リレーレンズ、３１１・・・ＰＢＳプリズム、
３１２・・・空間光変調器、３１３・・・リレーレンズ、３１４・・・空間フィルタ、
３１５・・・対物レンズ、３１６・・・偏光方向変換素子、３２０・・・アクチュエータ、
３２１・・・レンズ、３２２・・・レンズ、３２３・・・アクチュエータ、
３２４・・・ミラー、３２５・・・光検出器
５０１・・・光源、５０２・・・コリメートレンズ、５０３・・・シャッタ、５０４・・・光学素子、
５０５・・・ＰＢＳプリズム、５０６・・・信号光、５０７・・・ＰＢＳプリズム、５０８・・・空間光変調器、
５０９・・・アングルフィルタ、５１０・・・対物レンズ、５１１・・・対物レンズアクチュエータ、
５１２・・・参照光、５１３・・・ミラー、５１４・・・ミラー、５１５・・・レンズ、
５１６・・・ガルバノミラー、５１７・・・アクチュエータ、５１８・・・光検出器、
５１９・・・偏光方向変換素子、５２０・・・駆動方向、５２１・・・光学ブロック、
７０１・・・サブコントローラ、７０２・・・メモリ、７０３・・・メモリ制御回路、７０４・・・ＣＲＣ演算回路、７０５・・・スクランブル回路、７０６・・・誤り訂正符号化回路、７０７・・・ピックアップ（空間変調器）インターフェース回路、７０８・・・制御用ライン、７０９・・・データライン、７１０・・・マーカー付加回路、７１１・・・ヘッダ付加回路
【図１】
2015162653.tif 000003
【図２】
2015162653.tif 000004
【図３】
2015162653.tif 000005
【図４】
2015162653.tif 000006
【図５ａ】
2015162653.tif 000007
【図５ｂ】
2015162653.tif 000008
【図６ａ】
2015162653.tif 000009
【図６ｂ】
2015162653.tif 000010
【図６ｃ】
2015162653.tif 000011
【図７】
2015162653.tif 000012
【図８】
2015162653.tif 000013
【図９ａ】
2015162653.tif 000014
【図９ｂ】
2015162653.tif 000015
【図１０ａ】
2015162653.tif 000016
【図１０ｂ】
2015162653.tif 000017
【図１１ａ】
2015162653.tif 000018
【図１１ｂ】
2015162653.tif 000019
【図１２】
2015162653.tif 000020
【図１３ａ】
2015162653.tif 000021
【図１３ｂ】
2015162653.tif 000022
【図１４】
2015162653.tif 000023
【図１５】
2015162653.tif 000024
【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
２次元ページデータを情報記録媒体に記録する光情報装置であって、
第１のビット列を生成する第１の情報生成部と、
前記第１のビット列に基づいて第２のビット列を生成する第２の情報生成部と、
前記第２のビット列に対応するパターンを表示する空間光変調部と、を備え、
前記第２の情報生成部は、
第１の識別情報に対応する前記第１のビット列に対して、所定の周期で各ビットの反転を行う第１の処理を行い、前記第１の識別情報に対応する前記第２のビット列を生成し、
前記周期と同一の周期で切り替わるビットを含む第２の識別情報に対応する前記第１のビット列に対して、前記第１の処理とは異なる第２の処理をして、前記第２の識別情報に対応する前記第２のビット列を生成し、
前記第1の処理を行う周期に比較して、第１の識別情報に対応する前記第１のビット列の切り替わる周期は長く、
前記第２の識別情報に対応する前記第１のビット列の切り替わる周期は、前記第１の処理を行う周期と略同一であることを特徴とする光情報装置。
【請求項２】
請求項１記載の光情報装置であって、
前記第２の情報生成部は、前記周期と同一の周期で切り替わるビットを除外して前記第２の識別情報に対応する前記第２のビット列を生成する、光情報装置。
【請求項３】
請求項１記載の光情報装置であって、
前記第２の情報生成部は、前記第２の識別情報に対応する前記第１のビット列の内、前記周期と同一の周期で切り替わるビットの値を固定した状態で、前記周期で各ビットの反転を行い、前記第２の識別情報に対応する前記第２のビット列を生成する、光情報装置。
【請求項４】
請求項１記載の光情報装置であって、
前記第２の情報生成部は、前記周期と同一の周期で切り替わるビットを含む前記第２の識別情報に対応する前記第１のビット列を前記周期で変換するビットがないように、予め定めた対応値に変換し、該変換されたビット列に基づいて、前記第２の識別情報に対応する前記第２のビット列を生成する、光情報装置。
【請求項５】
請求項１記載の光情報装置であって、
前記周期は偶奇性に基づく値である、光情報装置。
【請求項６】
請求項１記載の光情報装置であって、
前記１の識別情報は、複数の２次元ページデータで構成されるブックのブックナンバー及び／または２次元ページデータの位置検出のためのマーカーの情報であり、前記第２の識別情報はページナンバーである、光情報装置。
【請求項７】
請求項１記載の光情報装置であって、
前記第２の情報生成部は、前記第２の識別情報に対応する前記第１のビット列の内の前記周期と同一の周期で切り替わるビットと該ビット以外のビットを排他的論理和の演算を行い、前記第２の識別情報に対応する前記第２のビット列を生成する、光情報装置。
【請求項８】
請求項４記載の光情報装置であって、
前記第２の情報生成部は、前記周期と同一の周期で切り替わるビットを含む前記第２の識別情報に対応する前記第１のビット列をグレイコードに変換し、該変換されたグレイコードに基づいて、前記第２の識別情報に対応する前記第２のビット列を生成する、光情報装置。
【請求項９】
請求項１記載の光情報装置であって、
前記２次元ページデータを再生する場合、前記第２のビット列に対応するパターンを取得し、該取得したパターンに基づいて、前記第１の識別情報に対応する前記第１のビット列を再生する、光情報装置。
【請求項１０】
２次元ページデータを情報記録媒体に記録する光情報処理方法であって、
第１のビット列を生成する第１の情報生成ステップと、
前記第１のビット列に基づいて第２のビット列を生成する第２の情報生成ステップと、
前記第２のビット列に対応するパターンを表示する空間光変調ステップと、を備え、
前記第２の情報生成ステップでは、
第１の識別情報に対応する前記第１のビット列に対して、所定の周期で各ビットの反転を行う第１の処理を行い、前記第１の識別情報に対応する前記第２のビット列を生成し、
前記周期と同一の周期で切り替わるビットを含む第２の識別情報に対応する前記第１のビット列に対して、前記第１の処理とは異なる第２の処理をして、前記第２の識別情報に対応する前記第２のビット列を生成し、
前記第1の処理を行う周期に比較して、第１の識別情報に対応する前記第１のビット列の切り替わる周期は長く、
前記第２の識別情報に対応する前記第１のビット列の切り替わる周期は、前記第１の処理を行う周期と略同一であることを特徴とする２次元ページデータを情報記録媒体に記録する光情報処理方法。
【請求項１１】
請求項１０記載の光情報処理方法であって、
前記第２の情報生成ステップでは、前記周期と同一の周期で切り替わるビットを除外して前記第２の識別情報に対応する前記第２のビット列を生成する、光情報処理方法。
【請求項１２】
請求項１０記載の光情報処理方法であって、
前記第２の情報生成ステップでは、前記第２の識別情報に対応する前記第１のビット列の内、前記周期と同一の周期で切り替わるビットの値を固定した状態で、前記周期で各ビットの反転を行い、前記第２の識別情報に対応する前記第２のビット列を生成する、光情報処理方法。
【請求項１３】
請求項１０記載の光情報処理方法であって、
前記第２の情報生成ステップでは、前記周期と同一の周期で切り替わるビットを含む前記第２の識別情報に対応する前記第１のビット列を前記周期で変換するビットがないように、予め定めた対応値に変換し、該変換されたビット列に基づいて、前記第２の識別情報に対応する前記第２のビット列を生成する、光情報処理方法。
【請求項１４】
請求項１０記載の光情報処理方法であって、
前記周期は偶奇性に基づく値である、光情報処理方法。
【請求項１５】
請求項１０記載の光情報処理方法であって、
前記第１の識別情報は、複数の２次元ページデータで構成されるブックのブックナンバー及び／または２次元ページデータの位置検出のためのマーカーの情報であり、前記第２の識別情報はページナンバーである、光情報処理方法。
【請求項１６】
請求項１０記載の光情報処理方法であって、
前記第２の情報生成ステップでは、前記第２の識別情報に対応する前記第１のビット列の内の前記周期と同一の周期で切り替わるビットと該ビット以外のビットを排他的論理和の演算を行い、前記第２の識別情報に対応する前記第２のビット列を生成する、光情報処理方法。
【請求項１７】
請求項１３記載の光情報処理方法であって、
前記第２の情報生成ステップでは、前記周期と同一の周期で切り替わるビットを含む前記第２の識別情報に対応する前記第１のビット列をグレイコードに変換し、該変換されたグレイコードに基づいて、前記第２の識別情報に対応する前記第２のビット列を生成する、光情報処理方法。
【請求項１８】
請求項１０記載の光情報処理方法であって、
前記２次元ページデータを再生する場合、前記第２のビット列に対応するパターンを取得し、該取得したパターンに基づいて、前記第１の識別情報に対応する前記第１のビット列を再生する、光情報処理方法。
【請求項１９】
２次元ページデータを情報記録媒体から再生する光情報装置であって、
前記２次元ページデータに記録されるヘッダ情報を再生するヘッダ情報再生部を有し、
前記ヘッダ情報再生部は、
前記ヘッダ情報に記録されるページナンバー情報からページナンバーを生成するページナンバー生成部と、
前記ヘッダ情報に記録される反転周期情報を再生する反転周期情報再生部と、を有し、
前記ページナンバー生成部と前記反転周期情報再生部の再生結果から前記２次元ページデータのアドレス情報を生成する、光情報装置。
【請求項２０】
２次元ページデータを情報記録媒体から再生する光情報処理方法であって、
前記２次元ページデータに記録されるヘッダ情報を再生するヘッダ情報再生ステップと、
前記ヘッダ情報に記録されるページナンバー情報からページナンバーを生成するページナンバー生成ステップと、
前記ヘッダ情報に記録される反転周期情報を再生する反転周期情報再生ステップと、
前記生成されたページナンバーと前記反転周期情報の再生結果から前記２次元ページデータのアドレス情報を生成するアドレス情報生成ステップと、
を備える光情報処理方法。
【請求項２１】
２次元ページデータを情報記録媒体に記録する光情報処理方法であって、
第１のビット列を生成する第１の情報生成ステップと、
前記第１のビット列に基づいて第２のビット列を生成する第２の情報生成ステップと、
前記第２のビット列に対応するパターンを表示する空間光変調ステップと、を備え、
前記第２の情報生成ステップでは、
第１の識別情報に対応する前記第１のビット列に対して、所定の周期で各ビットの反転を行う第１の処理を行い、前記第１の識別情報に対応する前記第２のビット列を生成し、
前記周期と同一の周期で切り替わるビットを含む第２の識別情報に対応する前記第1のビット列において、前記周期と異なる周期で切り替わるビット列に第１の処理を行い、前記第二の識別情報に対応する第２のビット列を生成する光情報処理方法。
【国際調査報告】
2015162653.tif 000025
2015162653.tif 000026
2015162653.tif 000027
2015162653.tif 000028